(57)【要約】【課題】  垂下式のカレンダの用済みの表示部の除去が極めて円滑に出来る簡易月又は日めくり可能なカレンダを提供する。【解決手段】  表示部２の上端側を封止する封じ込み用の金具３の左端や右端に短寸のスリット１を予め形成する表示部２の除去は、このスリットの部分から行われ、その除去作業は極めて円滑に出来る。【選択図】  図３
0003160742.tif 000002
【実用新案登録請求の範囲】
【請求項１】
月ごと又は日ごとの表示部を有する垂れ下がり型のカレンダであって、該カレンダは、その上端側に垂れ下がり方向と直交する短寸のスリットを縁部から中央部に向けて形成するものからなることを特徴とする簡易月又は日めくり可能なカレンダ。
【請求項２】
前記スリットが一端縁又は両端縁に形成されることを特徴とする請求項１に記載の簡易月又は日めくり可能なカレンダ。
【考案の詳細な説明】
【技術分野】
【０００１】
本考案は垂れ下がり型のカレンダに係り、特に用済みの表示部のめくり除去が容易に出来る簡易月又は日めくり可能なカレンダに関する。
【背景技術】
【０００２】
カレンダとしては極めて各種の種類のものがあり、１月から１２月までの月ごとの表示部を有するものや日ごとの表示部を有するものがある。また、その使用時における形態も垂れ下がり型のものやスタンドタイプのものや一枚にすべての月日の記載された張り紙タイプのもの等極めて色々な形態のものからなる。
なお、本考案は垂れ下がり型のカレンダに関するものである。
垂れ下がり型のカレンダは用済みの表示部を除去する必要があり、主として手めくりの構造のものからなる。
本考案は後に詳しく説明するが垂れ下がり型のカレンダであって、手めくりの容易に出来る形態のものであり、このタイプのものの公知技術は出願人の調査によると見当らないが、めくり型の公知技術としては「特許文献１」が挙げられる。
【先行技術文献】
【特許文献】
【０００３】
【特許文献１】登録番号３０４３８４０号（図１）
【考案の概要】
【考案が解決しようとする課題】
【０００４】
「特許文献１」の「登録番号３０４３８４０号」の「壁掛けカレンダー」は垂れ下がり型のものであり特長としては手めくり的な要素を有するものであるが、後に説明する本考案とは使用目的において相異し構造としては相異するものである。
【０００５】
手めくり型の垂れ下がり型カレンダは用済みの表示部を除去する場合は表示部である紙の下端を手でおさえて上端側に横方向に沿って配置されてある表示部の封じ込み用の金具の下縁部に沿って表示部をめくり除去する手段が一枚に採用されている。この表示部の除去手段は特別難しいものではないがカレンダの垂下されている位置や状態において手めくりが必ずしも円滑に行われず、綺麗な手めくりが出来ない問題点があった。そのため、綺麗好きの人は手めくりした後に不要の部分を除去する無駄な作業を必要とする場合が生じ、極めて面倒であった。
【０００６】
本考案は、以上の問題点を解決すべく考案されたものであり、手めくりが容易に、かつ確実にでき、極めて簡単に形成出来る簡易月又は日めくり可能なカレンダを提供することを目的とする。
【課題を解決するための手段】
【０００７】
本考案は、以上の目的を達成するために、請求項１の考案は、月ごと又は日ごとの表示部を有する垂れ下がり型のカレンダであって、該カレンダは、その上端側に垂れ下がり方向と直交する短寸のスリットを縁部から中央部に向けて形成するものからなることを特徴とする。
【０００８】
また、請求項２の考案は、前記スリットが一端縁又は両端縁に形成されることを特徴とする。
【考案の効果】
【０００９】
本考案の請求項１の簡易月又は日めくり可能なカレンダによれば、表示部の上端側の縁部に予めスリットを設けることにより手めくりの最初におけるめくる力が低減し、確実な手めくりを行うことが出来る。また、このスリットは短寸のものでありその形成は極めて容易であり、特別のコストを必要としない。また、体裁上も特に問題はない。
【００１０】
また、本考案の請求項２の簡易月又は日めくり可能なカレンダによれば、スリットは一端縁でもよいが利き腕が左右となるため両端縁に形成することにより利用の拡大化を図ることが出来る。
【図面の簡単な説明】
【００１１】
【図１】本考案のスリットを一端縁設けたカレンダを示す正面図。
【図２】本考案のスリットを両端縁に設けたカレンダを示す正面図。
【図３】本考案のカレンダの手めくりの状態を示す正面図。
【考案を実施するための形態】
【００１２】
以下、本考案の簡易月又は日めくり可能なカレンダの実施の形態を図面を参照して詳述する。
【実施例１】
【００１３】
図１は上端側の一端縁にスリット１を設けたカレンダ１００を示す。なお、図１は月ごとの表示部２を有するものであり、１月から１２月までの１２枚の表示部２の上端を封じ込み用の金具３で封止したものからなる。このカレンダ１００は封じ込み用の金具３の中心部に設けた保持部４により全体を垂下支持して使用されるものからなる。
【００１４】
一番上の表示部２が用済みになると、この用済みの表示部２を除去してその下にある表示部２を露出させることが必要になる。そのため用済みの表示部２を手めくりすることが必要になる。図３はこの手めくりの途中の形態を示すものである。この手めくりの作業は用済みの表示部２の下端を指先５で把持して、例えば、図示のように封じ込み用の金具３の下端に沿って用済みの表示部２を例えば、右端から剥がすことにより行われる。この場合、スリット１がないとこの剥がし作業の最初に無理な力が必要となり、用済みの表示部２の剥がしが円滑に行われない不具合が発生する。用済みの剥がしが行われない場合には用済みの表示部２の一部が残り、また、枚数が少なくなると封じ込み用の金具３が歪み全体として綺麗な状態を形成することが出来ない。よって、用済みの表示部２の残存部を除去する作業が必要となる。
カレンダ１００の垂下位置が手のとどき易い場所に有る場合は前記残存部の除去は比較的簡単に出来るが、垂下位置が高い場合にはカレンダ１００の全体を取り外しも行うことが必要となり、面倒である。
【００１５】
本考案のようにスリット１が端縁にあると、このスリット１の部分が既に開放されているため手めくりの初期作業が極めて容易に行われ、用済みの表示部２の除去が極めて円滑に行われ、前記の残存部が発生しない。
このように、スリット１を設けるだけの簡便の手段により表示部２の除去が極めて容易に行われることになる。なお、このスリット１の形成は特別な作業が必要ではなく容易に、かつ綺麗に形成することが出来る。
【実施例２】
【００１６】
図２のカレンダ１００Ａはスリット１を両端縁に設けたものであり、左利きや右利きの人に対して適用可能なものであり、その効果については前記の実施例１とほぼ同一のものであり、重複の説明を省略する。
【００１７】
以上のように、本考案に示したスリットを形成することにより用済みの表示部２の除去作業が極めて円滑に行われることがわかる。
【００１８】
本考案の内容は以上に説明した内容に限定するものではなく、同一技術的範疇のものが適用されることは勿論である。
【産業上の利用可能性】
【００１９】
本考案のカレンダは、以上の説明のように月ごとのカレンダに限定するものではなく、日ごとのものにも適用可能であり、更にカレンダの形態については任意のものでよく、その利用範囲は極めて広い。
【符号の説明】
【００２０】
１        スリット
２        表示部
３        封じ込み用の金具
４        保持部
５        指先
１００    カレンダ
１００Ａ  カレンダ
【図１】
0003160742.tif 000003
【図２】
0003160742.tif 000004
【図３】
0003160742.tif 000005